(57)【要約】【課題】簡易な構成で建物内の空調が可能となる建物の空調構造を提供することを目的とする。【解決手段】建物の空調構造１は、ホール２または廊下と、ホール２または廊下に設置される空調機６と、ホール２または廊下に隣接する複数の部屋３，４，５と、ホール２または廊下と各部屋３，４，５との間に設けられ、送風方向がホール２または廊下から各部屋３，４，５に向かう方向またはその逆方向に変更可能に設定された送風手段１０と、を備える。これにより、ホールまたは廊下と各部屋との間に、送風方向が変更可能に設定された送風手段が設けられるので、ホールまたは廊下と各部屋との間で空気と熱の流れを変更でき、簡易な構成で建物内の空調が可能となる。【選択図】図１
2014142148.tif 000002
【特許請求の範囲】
【請求項１】
ホールまたは廊下と、
前記ホールまたは廊下に設置される空調機と、
前記ホールまたは廊下に隣接する複数の部屋と、
前記ホールまたは廊下と各部屋との間に設けられ、送風方向が前記ホールまたは廊下から前記各部屋に向かう方向またはその逆方向に変更可能に設定された送風手段と、を備えることを特徴とする建物の空調構造。
【請求項２】
請求項１に記載の建物の空調構造において、
前記ホールまたは廊下に設けられ、当該ホールまたは廊下の空気を屋外に排出する排気手段を備えることを特徴とする建物の空調構造。
【請求項３】
請求項２に記載の建物の空調構造において、
前記排気手段は、
前記ホールまたは廊下の上方に位置し、建物の屋根に開閉自在に設けられる天窓と、
当該天窓の下方に位置し、前記ホールまたは廊下に設けられるシーリングファンと、を有することを特徴とする建物の空調構造。
【請求項４】
請求項１〜３のいずれか一項に記載の建物の空調構造において、
前記送風手段は、
前記ホールまたは廊下と前記各部屋との間の壁にそれぞれ形成される開口部と、
各開口部の開口縁部にそれぞれ設けられ、上下方向または横方向の中心線を軸にして回転自在とされる板状体と、
各板状体に取り付けられる換気ファンと、を有することを特徴とする建物の空調構造。
【請求項５】
請求項４に記載の建物の空調構造において、
前記板状体は回転軸を備え、
前記開口部の開口縁部には前記回転軸が取り付けられる軸受部が設けられており、
電源から前記送風手段に接続される給電線は、前記回転軸を介して配線されていることを特徴とする建物の空調構造。
【発明の詳細な説明】
【技術分野】
【０００１】
本発明は、建物の空調構造に関する。
【背景技術】
【０００２】
従来、住宅等の建物内における居室等の仕切られた複数の室内空間をまとめて空調するセントラル空調装置が知られている（例えば、特許文献１参照）。
このようなセントラル空調装置によれば、各室内空間の温度設定や、炭酸ガス等の放散物質濃度の抑制、廊下やホールの温度低下の抑制等を行うことができる。
【先行技術文献】
【特許文献】
【０００３】
【特許文献１】特開２００２−１６８４８９号公報
【発明の概要】
【発明が解決しようとする課題】
【０００４】
ところが、セントラル空調装置を建物内に設置する際には、小屋裏空間や天井裏に装置本体を設置し、装置本体と各室内空間とを給排気用ダクトで接続するため、給排気用ダクトを張り巡らせるためのスペースが必要となる。また、当該給排気用ダクトのように比較的コストの高い部品の数が多くなる場合がある。さらに、小屋裏空間や天井裏のように比較的狭い場所に、装置本体を設置したり、給排気用ダクトを配置したりするため、設置作業がしにくい場合がある。
【０００５】
本発明の課題は、簡易な構成で建物内の空調が可能となる建物の空調構造を提供することを目的とする。
【課題を解決するための手段】
【０００６】
請求項１に記載の発明は、建物の空調構造１であって、例えば図１〜図９に示すように、ホール２（２５）または廊下と、
前記ホール２（２５）または廊下に設置される空調機６（３１）と、
前記ホール２（２５）または廊下に隣接する複数の部屋３，４，５（２６，２７，２８）と、
前記ホール２（２５）または廊下と各部屋３，４，５（２６，２７，２８）との間に設けられ、送風方向が前記ホール２（２５）または廊下から前記各部屋３，４，５（２６，２７，２８）に向かう方向またはその逆方向に変更可能に設定された送風手段１０（４０）と、を備えることを特徴とする。
【０００７】
請求項１に記載の発明によれば、前記ホール２（２５）または廊下と前記各部屋３，４，５（２６，２７，２８）との間に、前記送風手段１０（４０）が設けられているので、前記ホール２（２５）または廊下と前記各部屋３，４，５（２６，２７，２８）との間で空気と熱の流れを変更できる。このため、前記複数の部屋３，４，５（２６，２７，２８）のうち最も涼しい部屋または暖かい部屋の空気を前記ホール２（２５）または廊下に取り込んでから他の部屋に移動させたり、前記空調機６（３１）によって空気調整された前記ホール２（２５）または廊下の空気を前記複数の部屋３，４，５（２６，２７，２８）に移動させたりすることができる。
これによって、例えば給排気用ダクトを用意したり、給排気用ダクトを張り巡らせるスペースを確保したり、狭い場所で空調装置の設置作業を行う場合に比して、より簡易な構成で建物内の空調が可能となる。
【０００８】
請求項２に記載の発明は、請求項１に記載の建物の空調構造１において、
前記ホール２（２５）または廊下に設けられ、当該ホール２（２５）または廊下の空気を屋外に排出する排気手段（例えば空調機６、天窓２１・シーリングファン２３）を備えることを特徴とする。
【０００９】
請求項２に記載の発明によれば、前記ホール２（２５）または廊下に設けられる前記排気手段（例えば空調機６、天窓２１・シーリングファン２３）を備えるので、前記ホール２（２５）または廊下に、前記複数の部屋３，４，５（２６，２７，２８）の暖かい空気を集めて屋外に排出することができる。これによって、建物内の換気を効率良く行うことができる。
【００１０】
請求項３に記載の発明は、請求項２に記載の建物の空調構造１において、
前記排気手段は、
前記ホール２５（階段ホール２５）または廊下の上方に位置し、建物の屋根２０に開閉自在に設けられる天窓２１と、
当該天窓２１の下方に位置し、前記ホール２５（階段ホール２５）または廊下に設けられるシーリングファン２３と、を有することを特徴とする。
【００１１】
請求項３に記載の発明によれば、前記排気手段は、前記天窓２１と前記シーリングファン２３とを有するので、前記シーリングファン２３を、前記複数の部屋２６，２７，２８から前記ホール２５（階段ホール２５）または廊下に向かって空気を引き込む方向に回転させることによって、前記ホール２５（階段ホール２５）または廊下に前記複数の部屋２６，２７，２８の暖かい空気を集めることができる。また、前記ホール２５（階段ホール２５）または廊下に集めた暖かい空気を前記天窓２１から屋外に排出することができる。しかも、暖かい空気は上昇する性質を持つため、前記天窓２１から、より効率良く建物内の換気を行うことができる。
【００１２】
請求項４に記載の発明は、請求項１〜３のいずれか一項に記載の建物の空調構造１において、
前記送風手段１０（４０）は、
前記ホール２（２５）または廊下と前記各部屋３，４，５（２６，２７，２８）との間の壁７，８，９（３２，３３，３４）にそれぞれ形成される開口部７ａ，８ａ，９ａ（３２ａ，３３ａ，３４ａ）と、
各開口部７ａ，８ａ，９ａ（３２ａ，３３ａ，３４ａ）の開口縁部７ｂ，８ｂ，９ｂにそれぞれ設けられ、上下方向または横方向の中心線を軸にして回転自在とされる板状体１１，１１，１１と、
各板状体１１，１１，１１に取り付けられる換気ファン１２，１２，１２と、を有することを特徴とする。
【００１３】
請求項４に記載の発明によれば、前記各板状体１１，１１，１１に、前記換気ファン１２，１２，１２が取り付けられているので、前記各板状体１１，１１，１１を回転させるだけで前記換気ファン１２，１２，１２による送風方向を容易に変更させることができる。
また、前記換気ファン１２，１２，１２の送風方向を正逆両方向に切替できるような装置を用意する必要がないので、コストの低減を図ることができる。
【００１４】
請求項５に記載の発明は、請求項４に記載の建物の空調構造１において、
前記板状体１１は回転軸１３，１３を備え、
前記開口部７ａ，８ａ，９ａ（３２ａ，３３ａ，３４ａ）の開口縁部７ｂ，８ｂ，９ｂには前記回転軸１３，１３が取り付けられる軸受部１４，１４が設けられており、
電源から前記換気ファン１２に接続される給電線１５は、前記回転軸１３，１３を介して配線されていることを特徴とする。
【００１５】
請求項５に記載の発明によれば、前記給電線１５は、前記回転軸１３，１３を介して配線されているので、前記板状体１１の回転に関わりなく前記換気ファン１２に対して給電できる。したがって、前記換気ファン１２を稼働させたまま、前記板状体１１を回転させることができる。
これによって、前記板状体１１を回転させるたびに前記給電線１５を前記換気ファン１２から取り外したり、取り付けたりする煩わしい作業が必要なく、前記板状体１１の回転操作性を向上できる。
また、前記給電線１５を前記回転軸１３だけでなく壁７，８，９（３２，３３，３４）内に配線すれば、当該給電線１５を露出させずに済むので、外観性を向上させることができる。
【発明の効果】
【００１６】
本発明によれば、ホールまたは廊下と各部屋との間に、送風方向が変更可能に設定された送風手段が設けられているので、ホールまたは廊下と各部屋との間で空気と熱の流れを変更でき、簡易な構成で建物内の空調が可能となる。
【図面の簡単な説明】
【００１７】
【図１】夏場における空調機使用時の建物内の空調の状態を示す概略図である。
【図２】冬場における空調機使用時の建物内の空調の状態を示す概略図である。
【図３】夏場の夜間における空調機不使用時の建物内の空調の状態を示す概略図である。
【図４】冬場の昼間における空調機不使用時の建物内の空調の状態を示す概略図である。
【図５】夏場における空調機不使用時の建物内の空調の状態を示す概略図である。
【図６】送風手段が取り付けられた板状体を示す側断面図である。
【図７】給電線の配線の例を示す側断面図である。
【図８】本発明の空調構造が採用される建物を示す縦断面図である。
【図９】本発明の空調構造が採用される建物を示す側断面図である。
【発明を実施するための形態】
【００１８】
以下、図面を参照して本発明の実施の形態について説明する。なお、図１〜図５の紙面上において上が北、下が南、左が西、右が東とされている。
図１〜図５に示す住宅等の建物には空調構造１が採用されている。また、この建物は、西側に配置されるホール２と、このホール２の周囲に配置される複数の部屋３，４，５と、を含んで構成されている。
そして、本実施の形態の建物の空調構造１は、前記ホール２と、空調機６と、前記複数の部屋３，４，５と、送風手段１０と、を備える。
【００１９】
前記ホール２は、住宅等の建物におけるホールであり、劇場や会館等の施設におけるホールとは異なる。また、このホール２は居室ではなく、かつ前記複数の部屋３，４，５へと至る通路となる部分であり、前記複数の部屋３，４，５が当該ホール２に臨んで配置されている。また、当該ホール２によって前記複数の部屋３，４，５が接続されている。
さらに、図示はしないが、ホール２には、前記複数の部屋３，４，５とは異なる部屋や空間に行き来するための階段や通路と接続されていてもよいものとする。
【００２０】
なお、ホール２としては、例えば階段ホールや玄関ホールが挙げられる。また、本実施の形態においてはホールとしたが、廊下であってもよい。
すなわち、廊下も、前記ホール２と同様に居室ではなく、かつ前記複数の部屋３，４，５へと至る通路となり得る部分となる。前記複数の部屋３，４，５は当該廊下に臨んで配置されることになり、当該ホール２によって前記複数の部屋３，４，５が接続されることになる。したがって、前記ホール２に代えて廊下を採用することができる。
【００２１】
また、前記ホール２には、当該ホール２の空気を屋外に排出する排気手段が設けられているものとする。すなわち、例えば換気扇や窓等が挙げられる。また、後述のように給排気機能を有するエアコンを排気手段としてもよい。
【００２２】
前記部屋３は、前記ホール２の北側に配置されている。また、前記部屋４は、前記ホール２の東側に配置されている。また、前記部屋５は、前記ホール２の南側に配置されている。これら複数の部屋３，４，５は前記ホール２に隣接している。さらに、前記部屋３と前記部屋４とが隣接し、前記部屋４と前記部屋５とが隣接している。
これら複数の部屋３，４，５は、リビングルームやダイニングルーム、寝室、子供部屋等のような居室であってもよいし、その他の浴室や洗面所、納戸等の居室ではない部屋であってもよい。
なお、これら複数の部屋３，４，５のそれぞれには、屋外に面する壁に窓が設けられており、必要に応じて屋外から採風・採光できるようになっている。
【００２３】
前記空調機６は、エアーコンディショナー（以下、エアコン）であり、前記ホール２に設置されている。そして、冷暖房機能や除湿機能、空気清浄機能等を有する。
さらに、屋外と前記ホール２との間で給気および排気を行う給排気機能を有するものとしてもよい。このように給排気機能を有するエアコンが前記ホール２に設置されることにより、本実施の形態の建物の空調構造１は、窓等以外の排気手段を備えることとなるので好ましい。換言すれば、構造上、窓等が設けることができない場合に、当該エアコンを排気手段として機能させることができる。
【００２４】
前記送風手段１０は、図１〜図７に示すように、前記ホール２と各部屋３，４，５との間に設けられ、送風方向が前記ホール２から前記各部屋３，４，５に向かう方向またはその逆方向に変更可能に設定されている。
前記ホール２と前記各部屋３，４，５との間には、壁７，８，９がそれぞれ設けられている。そして、前記送風手段１０は、前記壁７，８，９にそれぞれ設けられている。
そして、前記送風手段１０，１０，１０は、開口部７ａ，８ａ，９ａと、板状体１１，１１，１１と、換気ファン１２，１２，１２と、を有する。
【００２５】
前記開口部７ａ，８ａ，９ａは、前記壁７，８，９にそれぞれ形成されている。これら開口部７ａ，８ａ，９ａは、前記ホール２と前記各部屋３，４，５との間を行き来するための出入口７ｃ，８ｃ，９ｃとは異なる開口部とされている。
本実施の形態では、前記開口部７ａ，８ａ，９ａは、前記出入口７ｃ，８ｃ，９ｃの上方から天井にかけて形成されている。すなわち、欄間に相当する部位に形成された開口部となっている。
【００２６】
前記板状体１１，１１，１１は、前記各開口部７ａ，８ａ，９ａの開口縁部７ｂ，８ｂ，９ｂにそれぞれ設けられている。すなわち、欄間に相当する部位に設けられる板状体である。換言すれば、装飾等が施されていない状態の欄間そのものであってもよい。
そして、これら板状体１１，１１，１１は、上下方向または横方向の中心線を軸にして回転自在とされている。本実施の形態では、上下方向の中心線、すなわち横方向に配置される中心線を軸にして回転自在であり、図６に示すように、上端部が上方から下方に向かって傾倒するように、かつ下端部が下方から上方に起き上がるようにして回転する。
【００２７】
前記板状体１１は回転軸１３，１３を備える。すなわち、上述のように板状体１１は上下方向の中心線を軸にして回転自在とされるため、図７に示すように、回転軸１３，１３が両側端面に取り付けられた状態となっている。
回転軸１３は、本体軸部１３ａと、前記板状体１１の側端面に固定される板状の固定部１３ｂと、を有する。なお、前記本体軸部１３ａの先端には、後述する給電線１５を通すための孔が形成されているものとする。
また、本実施の形態の板状体１１は正逆方向に一回転ずつ回転できる構成とされており、後述する給電線１５に対して、板状体１１が回転することによる捻れ等が生じないように考慮されている。
【００２８】
また、前記開口縁部７ｂ，８ｂ，９ｂには、前記回転軸１３，１３が取り付けられる軸受部１４，１４が設けられている。
本実施の形態の軸受部１４，１４は、前記開口縁部７ｂ，８ｂ，９ｂの横にある二つの垂直面に形成され、前記回転軸１３，１３の本体軸部１３ａ，１３ａが挿入される穴である。
また、前記軸受部１４の周囲には、穴である当該軸受部１４を保護するためのカバー材１４ａが設けられている。これによって、前記回転軸１３の接触による前記軸受部１４の劣化を抑制できるので、前記板状体１１の良好な回転動作を長期的に持続できる。
【００２９】
なお、図６に示すように、この板状体１１の上下端面には気密材１１ａが設けられている。また、図示はしないが、この板状体１１の側端面にも、回転軸１３部分を除いて気密材１１ａが設けられているものとする。これによって、前記板状体１１と前記開口縁部７ｂ，８ｂ，９ｂとの隙間の気密性を確保できる。
【００３０】
前記換気ファン１２，１２，１２は、モーターでファンを回転させて吸気を行う構成となっており、前記各板状体１１，１１，１１に取り付けられている。
より詳細に説明すると、この換気ファン１２は、前記板状体１１の中央部に形成された開口部に嵌め込まれて固定されている。さらに、この換気ファン１２は、図示しない電源に接続されており、電源から給電される電気によってモーターを回転させている。電源から前記換気ファン１２に接続される給電線１５は、図７に示すように、前記回転軸１３を介して配線されている。
【００３１】
なお、本実施の形態の換気ファン１２は、送風方向（吸気方向）が一方向のみとされているが、これに限れるものではなく、正逆両方向に回転駆動可能に構成されていてもよい。この場合、前記開口部７ａ，８ａ，９ａおよび前記板状体１１は必要なく、例えば前記壁７，８，９に対して前記換気ファン１２がそれぞれ設けられていればよい。
【００３２】
なお、前記板状体１１，１１，１１は、前記各開口部７ａ，８ａ，９ａを開閉する建具としても機能する。したがって、本実施の形態において板状体１１，１１，１１は、欄間に相当する部位に設けられるものとしたが、前記出入口７ｃ，８ｃ，９ｃに設けられるドアであってもよい。
前記出入口７ｃ，８ｃ，９ｃに設けられるドアを板状体１１，１１，１１とする場合、前記換気ファン１２は、正逆両方向に回転駆動可能に構成されたものを採用すれば、ドアを、前記板状体１１と同様に上下方向または横方向の中心線を軸にして回転自在とする必要はない。
また、本実施の形態の換気ファン１２は、上述のような形態に限られるものではなく、前記送風手段１０を構成でき、かつ一方から他方へと送風できる機能を持ったファンであればよい。
【００３３】
次に、図１〜図５に示す建物の空調構造１における空調の形態について説明する。
図１は、夏場等のように比較的気温が高い時期における空調の形態を示している。
前記空調機６は冷房機能が働いている状態となっており、前記ホール２の温度は、前記複数の部屋３，４，５よりも低くなっている。すなわち、前記ホール２内の空気は冷やされた状態となっている。
前記壁７，８，９に設けられた前記送風手段１０，１０，１０のそれぞれは、送風方向が前記ホール２から前記各部屋３，４，５に向かう方向に設定されている。
これによって、前記ホール２内の冷たい空気を、前記複数の部屋３，４，５へと移動させることができるので、前記複数の部屋３，４，５の温度を下げることができる。
なお、前記空調機６の除湿機能を働かせ、前記ホール２の湿度を下げ、湿度の下がった空気を前記複数の部屋３，４，５へと移動させてもよい。
【００３４】
図２は、冬場等のように比較的気温が低い時期における空調の形態を示している。
前記空調機６は暖房機能が働いている状態となっており、前記ホール２の温度は、前記複数の部屋３，４，５よりも高くなっている。すなわち、前記ホール２内の空気は暖められた状態となっている。
前記壁７，８，９に設けられた前記送風手段１０，１０，１０のそれぞれは、送風方向が前記ホール２から前記各部屋３，４，５に向かう方向に設定されている。
これによって、前記ホール２内の暖かい空気を、前記複数の部屋３，４，５へと移動させることができるので、前記複数の部屋３，４，５の温度を上げることができる。
【００３５】
図３は、夏場等のように日射の影響で、例えば南側の居室（部屋５）の気温が比較的気温が高い時期であって、かつ夜間における空調の形態を示している。なお、前記空調機６は停止している。
夏場等のように比較的気温が高い時期であっても、夜間は、例えば北側から比較的冷たい風が吹く場合がある（図３中の白抜き矢印）。したがって、北側に配置された前記部屋３に、当該比較的冷たい風を取り込むようにする。これによって、前記部屋３内の空気が冷やされた状態となる。
前記壁７，８，９に設けられた前記送風手段１０，１０，１０のうち、前記部屋３側の壁７に設けられた送風手段１０は、送風方向が前記ホール２から前記各部屋３，４，５に向かう方向とは逆の方向に設定されている。さらに、前記部屋４側の壁８と前記部屋５側の壁９に設けられた送風手段１０，１０は、送風方向が前記ホール２から前記各部屋３，４，５に向かう方向に設定されている。
これによって、前記部屋３内の比較的冷たい空気を、前記ホール２へと一旦移動させて当該ホール２内の温度を下げ、続いて当該ホール２内の比較的冷たい空気を、前記部屋４，５へと移動させ、当該部屋４，５の温度を下げることができる。
【００３６】
図４は、冬場等のように比較的気温が低い時期であって、かつ昼間における空調の形態を示している。なお、前記空調機６は停止している。
冬場等のように比較的気温が低い時期であっても、昼間は、例えば南側に配置された部屋５には太陽光が射し込み、その熱によって暖められる場合がある。これによって、前記部屋５内の空気が比較的暖められた状態となる。
前記壁７，８，９に設けられた前記送風手段１０，１０，１０のうち、前記部屋５側の壁９に設けられた送風手段１０は、送風方向が前記ホール２から前記各部屋３，４，５に向かう方向とは逆の方向に設定されている。さらに、前記部屋３側の壁７と前記部屋４側の壁８に設けられた送風手段１０，１０は、送風方向が前記ホール２から前記各部屋３，４，５に向かう方向に設定されている。
これによって、前記部屋３内の比較的暖かい空気を、前記ホール２へと一旦移動させて当該ホール２内の温度を上げ、続いて当該ホール２内の比較的暖かい空気を、前記部屋３，４へと移動させ、当該部屋３，４の温度を下げることができる。
【００３７】
図５は、夏場等のように比較的気温が高い時期における空調の形態を示している。
なお、前記空調機６は停止しており、前記ホール２に設けられた前記排気手段が働いた状態となっている。すなわち、前記ホール２内の空気は、前記排気手段によって屋外に排出されている（図５中の白抜き矢印）。また、前記複数の部屋３，４，５は温度が高く、当該複数の部屋３，４，５内の空気は暖められた状態となっている。
前記壁７，８，９に設けられた前記送風手段１０，１０，１０のそれぞれは、送風方向が前記ホール２から前記各部屋３，４，５に向かう方向とは逆の方向に設定されている。
これによって、前記複数の部屋３，４，５内の暖かい空気を、前記ホール２へと移動させることができるので、前記複数の部屋３，４，５の換気を促進し、当該複数の部屋３，４，５の温度を下げることができる。
【００３８】
以上のようにして建物内の空調を効率良く行うことができる。
なお、本実施の形態においては、前記壁７，８，９に設けられた前記送風手段１０，１０，１０は全て稼働した状態とされ、前記複数の部屋３，４，５の全部屋の空調が行われるものとしたが、これに限られるものではない。すなわち、空調が必要ないと判断される場合には、前記送風手段１０の稼働を停止すればよい。
【００３９】
本実施の形態によれば、前記ホール２と前記各部屋３，４，５との間に、前記送風手段１０が設けられているので、前記ホール２と前記各部屋３，４，５との間で空気と熱の流れを変更できる。このため、前記複数の部屋３，４，５のうち最も涼しい部屋または暖かい部屋の空気を前記ホール２に取り込んでから他の部屋に移動させたり、前記空調機６によって空気調整された前記ホール２の空気を前記複数の部屋３，４，５に移動させたりすることができる。
これによって、例えば給排気用ダクトを用意したり、給排気用ダクトを張り巡らせるスペースを確保したり、狭い場所で空調装置の設置作業を行う場合に比して、より簡易な構成で建物内の空調が可能となる。すなわち、このように簡易な構成の空調構造１で建物内の空調を行うことができることにより、建物内の省スペース化を図ったり、前記空調構造１を建物内に設ける上での作業効率を向上させたり、コストの低減を図ることができる。
なお、前記ホール２に代えて廊下を採用したとしても、同様の効果を得られることは言うまでもない。
【００４０】
また、前記ホール２に設けられる前記排気手段を備えるので、前記ホール２に、前記複数の部屋３，４，５の暖かい空気を集めて屋外に排出することができる。これによって、建物内の換気を効率良く行うことができる。
【００４１】
また、前記各板状体１１，１１，１１に、前記換気ファン１２，１２，１２が取り付けられているので、前記各板状体１１，１１，１１を回転させるだけで前記換気ファン１２，１２，１２による送風方向を容易に変更させることができる。
また、前記換気ファン１２，１２，１２の送風方向を正逆両方向に切替できるような装置を用意する必要がないので、コストの低減を図ることができる。
【００４２】
また、前記給電線１５は、前記回転軸１３，１３を介して配線されているので、前記板状体１１の回転に関わりなく前記換気ファン１２に対して給電できる。したがって、前記換気ファン１２を稼働させたまま、前記板状体１１を回転させることができる。
これによって、前記板状体１１を回転させるたびに前記給電線１５を前記換気ファン１２から取り外したり、取り付けたりする煩わしい作業が必要なく、前記板状体１１の回転操作性を向上できる。
また、前記給電線１５を前記回転軸１３だけでなく壁７，８，９内に配線すれば、当該給電線１５を露出させずに済むので、外観性を向上させることができる。
【００４３】
＜実施例＞
次に、図８，図９等を参照して、以上のような建物の空調構造１を採用した建物の実施例について説明する。
図８，図９に示す建物は、二階建て住宅であり、その上部には屋根２０が設けられている。この屋根２０には、天窓２１が開閉可能に設けられており、図示しない駆動モーターによって、自動的に開閉されるようになっている。そして、前記天窓２１の下方が階段室２２となっている。
また、前記階段室２２の天井は、一部が二階の天井よりも高く形成されてなる高天井部２２ａとなっており、当該高天井部２２ａにシーリングファン２３が配設されている。さらに、前記高天井部２２ａと前記天窓２１との間には、当該高天井部２２ａに開口する通風および採光用の通気部２２ｂが設けられている。
すなわち、当該通気部２２ｂの上端部に前記天窓２１が設けられている。また、前記シーリングファン２３は、前記高天井部２２ａ内に収められ、当該天窓２１の直下に位置している。
【００４４】
なお、前記シーリングファン２３は、正逆両方向に回転駆動可能に構成されており、前記天窓２１側に前記階段室２２内の空気を移動させたり、前記天窓２１から屋外の空気を取り込んだりすることが可能となっている。
また、このシーリングファン２３は、上述のように前記高天井部２２ａ内に収められ、前記天窓２１の直下に位置するものとしたが、より詳細には、前記通気部２２ｂを構成する互いに対向する壁間に架設された梁２３ａに取り付けられている。
【００４５】
階段室２２は、平面視において矩形状に形成されており、その内部には一階の床から二階の床に至る階段２４が設けられている。階段２４は、一階と二階との途中に踊り場２４ａが設けられた折り返し階段である。
なお、前記階段２４は、複数の踏み板２４ｂと、これら複数の踏み板２４ｂが長さ方向に沿って並設される桁材２４ｃとからなるスケルトン式の階段である。また、前記階段室２２の一階部分には地窓２２ｃが設けられている。したがって、この地窓２２ｃから流入した空気を前記複数の踏み板２４ｂ…間の隙間を通過させ、階段室２２内に吹き込ませることができる。
さらに、前記階段室２２の前記高天井部２２ａ部分には、開閉自在に構成された高窓２２ｄが設けられており、通風および採光が可能となっている。
【００４６】
また、前記階段室２２は、前記階段２４を登り切った位置に配置される階段ホール２５を有する。この階段ホール２５が前記ホール２に相当する。そして、この階段ホール２５の周囲には、二階の複数の部屋２６，２７，２８が配置されている。
すなわち、この階段ホール２５は、居室ではなく、かつ前記複数の部屋２６，２７，２８へと至る通路となる部分であり、前記複数の部屋２６，２７，２８が当該階段ホール２５に臨んで配置されている。また、当該階段ホール２５によって前記複数の部屋２６，２７，２８が接続されている。
【００４７】
本実施例の複数の部屋２６，２７，２８は、寝室または子供部屋とされており、前記階段ホール２５に臨む出入口が設けられている。また、これら複数の部屋２６，２７，２８のそれぞれには、屋外に面する壁に窓が設けられており、必要に応じて屋外から採風・採光できるようになっている。
なお、前記部屋２６には、ウォークインクローゼット２９が隣接して設けられている。
また、前記部屋２８には、一階の部屋と連通する吹き抜け部３０が隣接して設けられている。
【００４８】
以上のような本実施例の建物における空調構造１は、前記階段ホール２５と、空調機３１と、前記複数の部屋２６，２７，２８と、送風手段４０と、を備える。
前記空調機３１はエアコンであり、前記階段ホール２５の壁に設置されている。なお、本実施例の空調機３１は給排気機能を有するものではない。
前記送風手段４０は、図８，図９に示すように、前記階段ホール２５と各部屋２６，２７，２８との間に設けられ、送風方向が前記階段ホール２５から前記各部屋２６，２７，２８に向かう方向またはその逆方向に変更可能に設定されている。
前記階段ホール２５と前記各部屋２６，２７，２８との間には、壁３２，３３，３４がそれぞれ設けられている。そして、前記送風手段４０は、前記壁３２，３３，３４にそれぞれ設けられている。
そして、前記送風手段４０，４０，４０は、開口部３２ａ，３３ａ，３４ａと、板状体１１，１１，１１と、換気ファン１２，１２，１２と、を有する。
【００４９】
前記開口部３２ａ，３３ａ，３４ａは、前記壁３２，３３，３４にそれぞれ形成されている。これら開口部３２ａ，３３ａ，３４ａは、前記階段ホール２５と前記各部屋２６，２７，２８との間を行き来するための前記出入口とは異なる開口部とされている。
本実施の形態では、前記開口部３２ａ，３３ａ，３４ａは、前記出入口の上方から前記二階の天井にかけて形成されている。すなわち、欄間に相当する部位に形成された開口部となっている。
【００５０】
なお、前記板状体１１，１１，１１および前記換気ファン１２，１２，１２や、回転軸１３、軸受部１４等の周辺の構成は、上述したものと同様の構成となっているため、説明を省略する。
【００５１】
また、本実施例における排気手段は、前記天窓２１と、前記シーリングファン２３とを含んで構成されている。すなわち、この排気手段は、前記階段ホール２５の上方に位置し、前記屋根２０に開閉自在に設けられる前記天窓２１と、当該天窓２１の下方に位置し、前記階段ホール２５に設けられる前記シーリングファン２３と、を有するものである。
【００５２】
以上のような本実施例の建物の空調構造１における空調の形態について、図１〜図９を参照して説明する。
例えば夏場等のように比較的気温が高い時期においては、前記空調機３１は冷房機能が働いている状態となっており、前記階段ホール２５の温度は、前記複数の部屋２６，２７，２８よりも低くなっている。すなわち、前記階段ホール２５内の空気は冷やされた状態となっている。
前記壁３２，３３，３４に設けられた前記送風手段４０，４０，４０のそれぞれは、送風方向が前記階段ホール２５から前記各部屋２６，２７，２８に向かう方向に設定されている。
これによって、前記階段ホール２５内の冷たい空気を、前記複数の部屋２６，２７，２８へと移動させることができるので、前記複数の部屋２６，２７，２８の温度を下げることができる。
なお、前記空調機３１の除湿機能を働かせ、前記階段ホール２５の湿度を下げ、湿度の下がった空気を前記複数の部屋２６，２７，２８へと移動させてもよい。
【００５３】
例えば冬場等のように比較的気温が低い時期においては、前記空調機３１によって前記階段ホール２５内の空気は暖められた状態となる。また、前記壁３２，３３，３４に設けられた前記送風手段４０，４０，４０のそれぞれは、送風方向が前記階段ホール２５から前記各部屋２６，２７，２８に向かう方向に設定されている。
これによって、前記階段ホール２５内の暖かい空気を、前記複数の部屋２６，２７，２８へと移動させ、前記複数の部屋２６，２７，２８の温度を上げることができる。
【００５４】
例えば夏場等のように日射の影響で、例えば南側の部屋の気温が比較的気温が高い時期であって、かつ夜間においては、前記複数の部屋２６，２７，２８のうち北側に配置される部屋に比較的冷たい風が取り込まれ、当該部屋内の空気が冷やされる。
そして、このような比較的冷たい空気を、当該北側の部屋側の前記送風手段４０によって前記階段ホール２５へと一旦移動させて当該階段ホール２５内の温度を下げる。続いて当該階段ホール２５内の比較的冷たい空気を、北側以外の部屋側の他の送風手段４０，４０によって、前記比較的冷たい空気を取り込んだ部屋とは異なる他の部屋（前記北側の部屋以外の他の部屋）へと移動させる。
これによって、空調機３１を稼働させない状態であっても、当該他の部屋の温度を下げることができる。
【００５５】
例えば冬場等のように比較的気温が低い時期であって、かつ昼間においては、前記複数の部屋２６，２７，２８のうち南側に配置された部屋には太陽光が射し込み、その熱によって当該南側の部屋内の空気が比較的暖められる。
そして、このような比較的暖かい空気を、当該南側の部屋側の前記送風手段４０によって前記階段ホール２５へと一旦移動させて当該階段ホール２５内の温度を上げる。続いて当該階段ホール２５内の比較的暖かい空気を、南側以外の部屋側の他の送風手段４０，４０によって、前記比較的暖かい空気を取り込んだ部屋とは異なる他の部屋（前記南側の部屋以外の他の部屋）へと移動させる。
これによって、空調機３１を稼働させない状態であっても、当該他の部屋の温度を上げることができる。
【００５６】
例えば夏場等のように比較的気温が高い時期であって、かつ前記空調機３１を停止した状態の場合について説明する。
まず、前記複数の部屋２６，２７，２８は温度が高く、当該複数の部屋２６，２７，２８内の空気は暖められた状態となっている。
このような状態において、前記天窓２１を開放するとともに、前記シーリングファン２３を、前記天窓２１側に前記階段室２２内の空気を移動できる方向に回転させる。すなわち、前記階段ホール２５に設けられた前記排気手段を稼働させた状態とする。さらに、前記壁３２，３３，３４に設けられた前記送風手段４０，４０，４０のそれぞれは、送風方向が前記階段ホール２５から前記各部屋２６，２７，２８に向かう方向とは逆の方向に設定されている。
これによって、前記複数の部屋２６，２７，２８内の暖かい空気を、前記階段ホール２５へと移動させることができるので、前記複数の部屋２６，２７，２８の換気を促進し、当該複数の部屋２６，２７，２８の温度を下げることができる。
【００５７】
以上のようにして建物内の空調を効率良く行うことができる。
なお、前記高天井部２２ａの上方には、当該高天井部２２ａ側に開口する天井ダクト扇３５が設けられている。この天井ダクト扇３５は、前記天窓２１や前記シーリングファン２３によって充分な排気効果が得られない場合に、補助的に使用することで排気（排熱）を促進させるものである。また、この天井ダクト扇３５は雨天時等においても好適に使用できるので、雨天時等であっても、前記空調構造１によって建物内の空調を効率良く行うことができる。
【００５８】
また、本実施例によれば、上述のような実施形態と同様の効果が得られるのはもちろんのこと、前記排気手段が、前記天窓２１と前記シーリングファン２３とを有するので、前記シーリングファン２３を、前記複数の部屋２６，２７，２８から前記階段ホール２５に向かって空気を引き込む方向に回転させることによって、前記階段ホール２５に前記複数の部屋２６，２７，２８の暖かい空気を集めることができる。また、前記階段ホール２５に集めた暖かい空気を前記天窓２１から屋外に排出することができる。しかも、暖かい空気は上昇する性質を持つため、前記天窓２１から、より効率良く建物内の換気を行うことができる。
【符号の説明】
【００５９】
１  空調構造
２  ホール
３  部屋
４  部屋
５  部屋
６  空調機
７  壁
８  壁
９  壁
１０  送風手段
１１  板状体
１２  換気ファン
【図１】
2014142148.tif 000003
【図２】
2014142148.tif 000004
【図３】
2014142148.tif 000005
【図４】
2014142148.tif 000006
【図５】
2014142148.tif 000007
【図６】
2014142148.tif 000008
【図７】
2014142148.tif 000009
【図８】
2014142148.tif 000010
【図９】
2014142148.tif 000011